(57)【要約】【課題】間仕切壁より容易に着脱でき、且つ、通常の生活の中で安易に間仕切壁より落脱することのない巾木の構造及び、巾木の固定方法を提案する。【解決手段】巾木１０を形成する巾木本体１１の上下一側裏面に、係止片１３を形成し、係止片１３と巾木本体１１との間に固定部としての係合溝１５を形成した。間仕切壁２０には、前記係合溝１５に係入可能な被係合部である起立部２５ａを床レール２５に備えた。そして、係合溝１５の巾木本体側構成面１５ａに傾きを形成することで、係合溝１５に起立部２５ａを係入した状態において巾木本体１１を間仕切壁２０側へ傾倒させ、これにより、巾木１０の間仕切壁２０に固定されない上下一側を間仕切壁２０に圧接させた。【選択図】図１
2006226015.tif 000002
【特許請求の範囲】
【請求項１】
間仕切壁に備える巾木において、
間仕切壁の表面に現れる板状の巾木本体と、該巾木本体の裏面上下一側に設けた巾木を間仕切壁に着脱可能に固定するための固定部とを、巾木に備えるとともに、
前記固定部にて間仕切壁に固定された巾木の上下一側に対して、巾木の上下他側を間仕切壁側へ傾倒するように巾木を形成した
ことを特徴とする巾木。
【請求項２】
前記固定部として、前記巾木本体裏面の上下一側に形成した係止片と該巾木本体との間に、上下いずれかに開放した係合溝を形成し、
前記間仕切壁の下縁に、前記係合溝に係入可能な起立部を形成した、
請求項１に記載の巾木。
【請求項３】
前記係合溝に前記起立部を係入した状態で巾木本体を間仕切壁側へ傾倒させる傾きを、係合溝に形成した、
請求項２に記載の巾木。
【請求項４】
前記巾木の上縁若しくは下縁、又は、上縁及び下縁の間仕切壁に当接する部分に、軟質樹脂から成る舌片を設けた、
請求項１乃至請求項３のいずれかに記載の巾木。
【請求項５】
間仕切壁への巾木の固定方法において、
巾木の上下一側を、間仕切壁に対して着脱可能に固定するとともに、
巾木の上下他側を、間仕切壁側へ傾倒して間仕切壁に圧接する
ことを特徴とする巾木の固定方法。
【発明の詳細な説明】
【技術分野】
【０００１】
本発明は、間仕切壁に備える巾木に関する。
【背景技術】
【０００２】
従来、間仕切壁の下縁部に、装飾や保護のための化粧部材として巾木が取り付けられる。
また、特に間仕切壁が床−天井間突張式のパネル間仕切壁の場合、間仕切壁の下縁部にはパネルを床−天井間に突っ張った状態に加圧する支持脚が設けられるが、巾木はこの支持脚を隠蔽する機能性も備える。
【０００３】
巾木は、螺子や接着剤や釘等の固定用手段を用いて間仕切壁に固定する形態のものや、巾木に係合形状を形成するとともに間仕切壁の下縁部に被係合形状を形成して、これらの係合によって間仕切壁に固定する形態のものが、知られている。
例えば、特許文献１に記載の技術では、間仕切壁の下縁部に巾木を係止させる溝や間隙等の被係合形状を形成するとともに、巾木の上下縁に係合片を形成し、巾木の構成素材の弾性を利用した、巾木側の係合片と間仕切壁側の被係合形状との係合により、間仕切壁の下縁部に巾木を固定している。
【０００４】
一方、間仕切壁の下縁部を配線のための空間として利用する技術が知られている。
例えば、特許文献２に記載の技術では、間仕切壁を少なくともパネルと該パネルの下部に設けられた支持脚とで構成し、パネルと床との間隙を配線が収容される配線スペースとするとともに、間仕切壁の下縁部に配線スペースを隠蔽するように着脱自在に巾木を設け、間仕切壁の施工後における配線作業と、プラグソケットの位置変更とを可能としている。
【特許文献１】特開平１０−１０２６４７号公報
【特許文献２】特開平９−１３５５３号公報
【発明の開示】
【発明が解決しようとする課題】
【０００５】
上述の特許文献２に記載の技術のように、間仕切壁の下縁部を配線スペースとして利用する場合、業者に頼らず住人が自身で配線作業を行うために、巾木は間仕切壁より容易に着脱できることが好ましい。また、通常の生活の中で安易に間仕切壁より落脱することのないように、巾木は間仕切壁に安定した状態で固定されることが好ましい。
しかし、釘や螺子や接着剤等の固定手段を用いて巾木が間仕切壁に固定されている場合、巾木を間仕切壁から着脱することができない。また、巾木の上下縁において間仕切壁に係止されている場合、巾木を間仕切壁より着脱することは可能であるが、一旦取り付けた巾木は取り外し難く、巾木を取り外して現れる配線スペースを積極的に有効利用する意志が殺がれてしまう。
そこで本発明では、間仕切壁より容易に着脱でき、且つ、通常の生活の中で安易に間仕切壁より落脱することのない巾木の構造及び、巾木の固定方法を提案する。
【課題を解決するための手段】
【０００６】
本発明の解決しようとする課題は以上の如くであり、次にこの課題を解決するための手段を説明する。
【０００７】
即ち、請求項１においては、間仕切壁に備える巾木において、間仕切壁の表面に現れる板状の巾木本体と、該巾木本体の裏面上下一側に設けた巾木を間仕切壁に着脱可能に固定するための固定部とを、巾木に備えるとともに、前記固定部にて間仕切壁に固定された巾木の上下一側に対して、巾木の上下他側を間仕切壁側へ傾倒するように巾木を形成したものである。
【０００８】
請求項２においては、前記固定部として、前記巾木本体裏面の上下一側に形成した係止片と該巾木本体との間に、上下いずれかに開放した係合溝を形成し、前記間仕切壁の下縁に、前記係合溝に係入可能な起立部を形成したものである。
【０００９】
請求項３においては、前記係合溝に前記起立部を係入した状態で巾木本体を間仕切壁側へ傾倒させる傾きを、係合溝に形成したものである。
【００１０】
請求項４においては、前記巾木の上縁若しくは下縁、又は、上縁及び下縁の間仕切壁に当接する部分に、軟質樹脂から成る舌片を設けたものである。
【００１１】
請求項５においては、間仕切壁への巾木の固定方法において、巾木の上下一側を、間仕切壁に対して着脱可能に固定するとともに、巾木の上下他側を、間仕切壁側へ傾倒して間仕切壁に圧接するものである。
【発明の効果】
【００１２】
本発明の効果として、以下に示すような効果を奏する。
【００１３】
請求項１においては、巾木は上下方向一側のみ間仕切壁に固定されるので、巾木を間仕切壁から取り外す作業が簡易となる。また、巾木の間仕切壁側に圧接された上下方向一側は、間仕切壁には固定されないが、間仕切壁に圧接されているので、巾木は、ガタつくことなく、安定した状態で間仕切壁に固定されて、通常の生活の中で安易に落脱しない。
【００１４】
請求項２においては、巾木の係合溝に、間仕切壁側に形成された起立部を係入することで、巾木と間仕切壁とを係合・固定することができ、巾木の間仕切壁に対する着脱作業が簡易である。
【００１５】
請求項３においては、巾木を間仕切壁に係合・固定させることで、巾木を間仕切壁側に強制的に傾倒させることができる。巾木の固定部の形状そのものにて巾木を傾倒させることができ、他の特別な機構等を要しないので、安価且つ簡易に構成することができる。
【００１６】
請求項４においては、軟質樹脂により巾木と間仕切壁とが密着し、巾木は、ガタつくことなく、安定した状態で間仕切壁に固定されて、通常の生活の中で安易に落脱しない。
【００１７】
請求項５において、巾木は上下方向一側のみ間仕切壁に係合・固定されるので、巾木を間仕切壁から着脱する作業が簡易となる。また、巾木の間仕切壁側に圧接された上下方向一側は、間仕切壁には固定されないが、間仕切壁に圧接されているので、巾木は、ガタつくことなく、安定した状態で間仕切壁に固定されて、通常の生活の中で安易に落脱しない。
【発明を実施するための最良の形態】
【００１８】
次に、発明の実施の形態を説明する。
図１は間仕切壁下縁部に取り付けた巾木の側面図、図２は巾木に形成された係合片を示す巾木の裏面斜視図、図３は巾木の側面図である。図４は間仕切壁下縁部に取り付けた巾木の下部側面拡大図である。図５は巾木を間仕切壁下縁部に取り付ける様子を示す側面図、図６はプラグソケットを備えた巾木の正面図である。
【００１９】
本発明に係る巾木１０について説明する。
図１に示すように、巾木１０は、間仕切壁２０の下縁部に取り付けられ、間仕切壁２０の意匠性の向上や間仕切壁２０の保護を図るための装飾部材である。本実施例では、間仕切壁２０は床−天井間に突っ張った状態に立設された突張式パネル間仕切壁であり、巾木１０は間仕切壁２０の下縁部に設けられた後述する支持脚２４を隠蔽する機能性も備える。
【００２０】
上記巾木１０を備える間仕切壁２０は、立設しようとする間仕切壁２０に沿って床面に敷設された床レール２５と、間仕切壁２０の本体を構成するパネル２１と、該パネル２１の下方にてパネル２１を床レール２５上に起立・固定させる支持脚２４と、パネル２１の下縁部に設けられた巾木１０等で構成される。但し、本発明に係る巾木１０を取り付ける間仕切壁２０の構造は本実施例に限定されるものではない。
なお、上記巾木１０は、間仕切壁２０の構成要素の一つであるが、以下、説明のために、パネル２１と支持脚２４と床レール２５等の要素からなる部分を間仕切壁２０とし、巾木１０は該間仕切壁２０に取り付けるものとする。
【００２１】
前記床レール２５は、側断面視略Ｕ字状の外枠と、該外枠の内部に固設された側断面視略Ｕ字状の内枠とで構成される。外枠の両側縁は起立して、巾木１０が係合する被係合部である起立部２５ａ・２５ａとされる。また、内枠の両側縁は起立して、支持脚２４が固定されるランナー２５ｂとされる。
なお、本実施例において、巾木１０と係合させる間仕切壁２０側の部材を、床レール２５の起立部２５ａとしているが、これに限定されるものではなく、例えば、パネル２１の下方に突出する起立片を設けたり、床レールを備えない間仕切壁においては該間仕切壁の下縁部に固定した起立片を設けたりして、巾木１０と係合させる間仕切壁２０側の部材とすることもできる。
また、上記床レール２５を構成する外枠よりも内枠の幅は小さく、外枠の起立部２５ａ・２５ａと内枠のランナー２５ｂとの間は、後述する巾木１０の係合片１３を挿入可能な程度に離間される。
【００２２】
前記支持脚２４は、前記床レール２５に形成されたランナー２５ｂとの固定部２４ａと、パネル２１と連結するための連結部２４ｃと、固定部２４ａと連結部２４ｃとの間に設けられる柱部２４ｂとで構成される。
前記固定部２４ａは、側断面視Ｕ字状のランナー２５ｂを挟み込む側断面視コ字状のものであって、ランナー２５ｂが固定部２４ａに嵌合することにより、支持脚２４の床レール２５の幅方向への移動が規制される。また、前記連結部２４ｃは、パネル２１の下縁に設けられた側断面視略門状の下フレーム２２に嵌合して、パネル２１と支持脚２４とを連結するものである。また、前記柱部２４ｂは、図示せぬ伸縮機構により上下方向に伸縮可能であって、柱部２４ｂを伸張させることにより、パネル２１を天井と床との間で突っ張った状態に保持させることができる。
【００２３】
上記巾木１０は、間仕切壁２０において、パネル２１と床との間隙を閉塞し、支持脚２４と床レール２５とを隠蔽するように設けられる。
図２及び図３にも示すように、巾木１０は、巾木本体１１と、該巾木本体１１の下縁に沿って設けられた下縁舌片１２ａと、該巾木本体１１の上縁に沿って設けられた上縁舌片１２ｂと、巾木本体１１の本体裏面１１ｂに設けられた係合片１３とで構成される。巾木１０は押出成形による合成樹脂製とすることが好適である。
【００２４】
巾木本体１１の本体表面１１ａは、本実施例においては波状に起伏した化粧板とすることにて、巾木１０に意匠性が付与される。また、本体表面１１ａの下縁には下縁舌片１２ａが設けられ、本体裏面１１ｂの上縁には上縁舌片１２ｂが設けられる。
下縁舌片１２ａ及び上縁舌片１２ｂは、いずれも軟質エラストマー（軟質樹脂）から成り、下縁舌片１２ａで巾木本体１１と床面との間隙を閉塞し、上縁舌片１２ｂで巾木本体１１とパネル２１との間隙を閉塞することにて、間仕切壁２０の美感の向上が図られる。また、下縁舌片１２ａが床レール２５に、また、上縁舌片１２ｂがパネル２１に圧接されることによって、巾木１０のガタつきや落脱の防止が図られる。
なお、上記下縁舌片１２ａ及び上縁舌片１２ｂは、双方を備えることが好ましいが、いずれか一方とすることもできる。
【００２５】
巾木本体１１の本体裏面１１ｂの下部には、該本体裏面１１ｂより突出した係合片１３が形成される。係合片１３は、本実施例のように本体裏面１１ｂに巾木１０の長手方向全長にわたって形成することが好ましいが、本体裏面１１ｂに断続的に形成されたものとすることもできる。
係合片１３は、多少の弾性変形が許容される樹脂等の素材で構成されたフック状片であり、該係合片１３と巾木本体１１との間に床レール２５に形成された起立部２５ａを係入可能な係合溝１５が形成される。この係合溝１５が、巾木１０の間仕切壁２０への固定部として機能する。
【００２６】
前記係合溝１５は、巾木１０の下面に開放部を形成した下部開放の溝であって、溝の開放部１５ｍの溝幅Ｗｍに対して溝の奥部１５ｎの溝幅Ｗｎが広く形成される。溝の開放部１５ｍの溝幅Ｗｍは、床レール２５の起立部２５ａの厚みよりもやや小さく、また、溝の奥部１５ｎの溝幅Ｗｎが床レール２５の起立部２５ａの厚みよりやや大きい。
これに加え、巾木本体１１の本体裏面１１ｂの係合溝１５を構成する部分（本体側溝形成面１５ａ）には傾きが設けられ、開放部１５ｍより奥部１５ｎの方が係合片１３の下端Ｈ１よりも、巾木本体１１の下端Ｈ２の方が下方に位置している。
さらに、巾木本体１１の下縁に設けられた下縁舌片１２ａは、その一部が本体側溝形成面１５ａよりも係合溝１５側へ突出している。
【００２７】
上記係合溝１５の形状により、図４に示すように、係合溝１５に床レール２５の起立部２５ａを挿入した状態では、係合溝１５の溝の開放部１５ｍにおいて、係合片１３が弾性変形して溝幅Ｗｍが起立部２５ａの厚みとなるまで拡大されており、係合片１３の弾性により該係合片１３が起立部２５ａに圧接される。これにより、係合溝１５の溝の開放部１５ｍにおいて、巾木本体１１と係合片１３とで床レール２５の起立部２５ａを把持固定して、係合溝１５と起立部２５ａとが堅く係合されることとなる。
【００２８】
また、係合溝１５の溝の開放部１５ｍにおいて係合片１３が床レール２５の起立部２５ａを押圧することと、係合片１３の下端Ｈ１が巾木本体１１の下端Ｈ２よりも上方に位置することで、上記本体側溝形成面１５ａに、床レール２５の起立部２５ａの側面が密接する。本体側溝形成面１５ａの傾きによって、側断面視において、巾木本体１１の下縁よりも上縁が裏面側（取り付けたときの間仕切壁２０側）に位置するように、巾木本体１１に傾くこととなる。すなわち、巾木１０の巾木本体１１は、間仕切壁２０側に係止・固定される上下方向一側（下側）に対して、上下方向他側（上側）が裏面側（取り付けたときの間仕切壁２０側）に位置するように傾倒することとなる。
但し、巾木１０が間仕切壁２０に取り付けられた状態では、巾木本体１１の上縁はパネル２１に当接するため、巾木本体１１は間仕切壁２０側へは傾かずに、パネル２１に圧接される。
【００２９】
従って、床レール２５の起立部２５ａが係合溝１５に係入されて巾木１０が間仕切壁２０に取り付けられた状態（図１）においては、巾木１０の係合溝１５と床レール２５の起立部２５ａとが堅く係合されるとともに、巾木本体１１が間仕切壁２０側に傾倒することよって巾木本体１１の上縁が間仕切壁２０に圧接される。
すなわち、間仕切壁２０に取り付けられた巾木１０は、上下方向一側が間仕切壁２０と着脱可能に固定され、上下方向他側が間仕切壁２０側に圧接された状態となっている。
これに加え、下縁舌片１２ａの係合溝１５側へ突出した部分がレール２５の起立部２５ａの側面に圧接されるとともに、巾木本体１１の上縁に設けられた上縁舌片１２ｂがパネル２１に圧接されることによって、巾木１０のガタ付きや落脱が防止される。
【００３０】
上述のように、巾木１０の間仕切壁２０に圧接された上下方向一側は、間仕切壁２０には固定されないが、間仕切壁２０に圧接され密着しているので、巾木１０は、ガタつくことなく、安定した状態で間仕切壁２０に固定されて、通常の生活の中で安易に落脱しないのである。
そして、巾木１０の固定部として機能する係合溝１５の形状そのものにて巾木本体１１を傾倒させるので、付勢部材等他の特別な機構や部材等を要しないので、巾木１０を安価且つ簡易に構成することができる。
【００３１】
上記巾木１０を間仕切壁２０の下縁部に取り付ける手順について説明する。
まず、図５（ａ）に示すように、床レール２５の起立部２５ａに、巾木１０に設けられた係合片１３の係合溝１５を差し込むべく巾木本体１１を傾け、その下縁に位置する下縁舌片１２ａを起立部２５ａに当接させた状態とする。ここから、巾木本体１１をその下縁を回転の略中心として間仕切壁２０側に回転させる。このとき、床レール２５の起立部２５ａに係合片１３が当接することによって、巾木１０の回転が阻害されないように、係合片１３の下端には係合溝１５側に湾曲状に傾斜して一部が切り欠かれて回避部１３ｂが形成されており、図５（ｂ）に示すように、巾木本体１１がほぼ起立した状態となるまで巾木１０をスムースに回転できる。
【００３２】
続いて、巾木本体１１がほぼ起立した状態となれば、床レール２５の起立部２５ａの上端が、係合片１３の係合溝１５の奥部に至るまで、巾木１０を下方へ移動させ、前述のように、床レール２５の起立部２５ａと巾木１０の係合溝１５とを係合することにて、図１に示すように、巾木１０が間仕切壁２０の下縁部に取り付けられる。
【００３３】
上述の如く、巾木１０の間仕切壁２０への取付作業において、巾木１０を回転したのち下方へ移動させる動作を行うことで、巾木１０を動作し易く、且つ、巾木１０より間仕切壁２０に密接した状態を形成できるようにしている。
また、巾木１０を間仕切壁２０から取り外すときには、巾木１０を取り付けるときとは反対の手順で、まず、巾木１０を上昇させて、巾木１０と間仕切壁２０との密接した状態を解き、続いて、巾木１０の上部に指を掛けて巾木本体１１の下縁を回転の略中心として間仕切壁２０から離れる方向に回転させて、巾木１０を床レール２５の起立部２５ａから外す。
このように、巾木１０は上下方向一側のみが間仕切壁２０に係合・固定されているので、巾木１０を間仕切壁２０から取り外す作業も簡易であり、特別な工具等も必要としないので、巾木１０の着脱作業は住人の手によって容易に行うことができる。
【００３４】
上記間仕切壁２０において、パネル２１と床レール２５との間に形成された空間を配線のための空間（配線スペース）として利用することができる。巾木１０を間仕切壁２０より取り外して、配線スペースを開放し、再配線したのち、再び巾木１０を間仕切壁２０に取り付けて配線スペースを隠蔽する、一連の作業は簡易であるので、住人による積極的な配線スペースの有効利用に寄与することができる。
【００３５】
なお、上述の如く、間仕切壁２０の内部を配線スペースとして利用する場合、図６に示すように、巾木１０に電気配線から電流を取るためプラグを差し込むプラグソケットユニット３１を備えて、巾木本体１１にプラグソケット３２・３２を形成することもできる。この場合、巾木１０をプラグソケット３２・３２を備えたものと取り替えたり、巾木１０の位置を変更したりすることにより、プラグソケット３２・３２の位置を容易に変更することができ、部屋内での家具のレイアウトに応じて適した位置にプラグソケット３２・３２を配置することができる。そして、巾木１０は、間仕切壁２０からの着脱が簡易であるので、プラグソケット３２・３２の再配置を含めた配線作業を住人の手で行うことが可能である。
【００３６】
なお、本実施例においては、巾木１０の本体裏面１１ｂの下部に係合片１３を設け、巾木１０の下側を間仕切壁２０に係合固定し、上側を間仕切壁２０に圧接させているが、巾木１０の上側を間仕切壁２０に係合固定し、下側を間仕切壁２０に圧接させる構成とすることもできる。
この場合、巾木１０の本体裏面１１ｂの上部に係合片を設けて上方開放の係合溝を形成するとともに、パネル２１の下部に前記係合溝に対する被係合部となる起立部を形成する。そして、巾木本体１１の下縁が上縁に対して間仕切壁２０側に傾倒するように、に位置するように巾木１０の係合溝に傾きを形成する。これにより、巾木１０の上部が間仕切壁２０に係合固定され、巾木１０の下部が間仕切壁２０（床レール２５）に圧接した状態に、巾木１０を間仕切壁２０に取り付けることができる。
【図面の簡単な説明】
【００３７】
【図１】間仕切壁下縁部に取り付けた巾木の側面図。
【図２】巾木に形成された係合片を示す巾木の裏面斜視図。
【図３】巾木の側面図。
【図４】間仕切壁下縁部に取り付けた巾木の下部側面拡大図。
【図５】巾木を間仕切壁下縁部に取り付ける様子を示す側面図。
【図６】プラグソケットを備えた巾木の正面図。
【符号の説明】
【００３８】
１０  巾木
１１  巾木本体
１３  係合片
１５  係合溝
２０  間仕切壁
２１  パネル
２４  支持脚
２５  床レール
２５ａ  起立部
【図１】
2006226015.tif 000003
【図２】
2006226015.tif 000004
【図３】
2006226015.tif 000005
【図４】
2006226015.tif 000006
【図５】
2006226015.tif 000007
【図６】
2006226015.tif 000008